(57)【要約】【課題】ＡＮＳａｍ信号に対する応答信号が遅れて送出された場合であっても、交信エラーを生じさせることなく通信を実行することが可能な技術を提供する。【解決手段】ファクシミリ装置１０は、発呼信号を受信したときにおいて、ＡＮＳａｍ信号を送出すると共に、ＡＮＳａｍ信号の送出が終了してからの無音状態がファクシミリ装置２０との間の通信回線において所定時間継続した後に、ファクシミリ装置２０に対してＤＩＳを送出する。これにより、エコーキャンセラ機能がＯＦＦされた場合であってもＯＮの状態に復旧させて交信エラーの発生を抑え、以降の通信を継続する。【選択図】図３
2008099169.tif 000002
【特許請求の範囲】
【請求項１】
ＩＴＵ−Ｔ勧告Ｖ．３４通信モードの通信機能を履行不可である送信側装置と、
ＩＴＵ−Ｔ勧告Ｖ．３４通信モードの通信機能を履行可能である受信側装置と
の間で通信を行う通信システムであって、
前記受信側装置は、
信号を送受信する通信部と、
前記通信部を制御する制御部と
を備え、
前記制御部は、前記送信側装置が前記受信側装置との間の通信を要求することを示す発呼信号を前記通信部が受信したときにおいて、前記通信部から前記送信側装置に対してＡＮＳａｍ信号を送出させると共に、前記ＡＮＳａｍ信号の送出が終了してからの無音状態が前記送信側装置との間の通信回線において所定時間継続した後に、前記通信部から前記送信側装置に対してＤＩＳを送出させる、通信システム。
【請求項２】
請求項１記載の通信システムであって、
前記所定時間は４００ｍｓ以上である、通信システム。
【請求項３】
請求項２記載の通信システムであって、
前記所定時間は５００ｍｓ以下である、通信システム。
【請求項４】
ＩＴＵ−Ｔ勧告Ｖ．３４通信モードの通信機能を履行不可である送信側装置と、
ＩＴＵ−Ｔ勧告Ｖ．３４通信モードの通信機能を履行可能である受信側装置と
の間で行う通信方法であって、
前記受信側装置が前記送信側装置からの通信を要求することを示す発呼信号を受信する第１の工程と、
前記第１の工程の後に前記受信側装置がＡＮＳａｍ信号を送出する第２の工程と、
前記受信側装置が前記第２の工程の後に無音状態の継続時間を計測する第３の工程と、
前記受信側装置が前記第３の工程で計測した時間が所定時間を超えたときにＤＩＳを送出する第４の工程と
を備える、通信方法。
【請求項５】
請求項４記載の通信方法であって、
前記第４の工程の前記所定時間は４００ｍｓ以上である、通信方法。
【請求項６】
請求項５記載の通信方法であって、
前記第４の工程の前記所定時間は５００ｍｓ以下である、通信方法。
【請求項７】
ＩＴＵ−Ｔ勧告Ｖ．３４通信モードの通信機能を履行可能である通信端末装置であって、
信号を送受信する通信部と、
前記通信部を制御する制御部と
を備え、
前記制御部は、発呼信号を前記通信部が受信したときにおいて、前記通信部からＡＮＳａｍ信号を送出させると共に、前記ＡＮＳａｍ信号の送出が終了してからの無音状態が通信回線において所定時間継続した後に、前記通信部からＤＩＳを送出させる、通信端末装置。
【請求項８】
請求項７記載の通信端末装置であって、
前記所定時間は４００ｍｓ以上である、通信端末装置。
【請求項９】
請求項８記載の通信端末装置であって、
前記所定時間は５００ｍｓ以下である、通信端末装置。
【発明の詳細な説明】
【技術分野】
【０００１】
本発明は、ＩＴＵ−Ｔ勧告Ｖ．３４通信モードの通信機能を有する通信端末装置と、ＩＴＵ−Ｔ勧告Ｖ．３４通信モードの通信機能を有さない通信端末装置との間の通信において、交信エラーを抑制する技術に関する。
【背景技術】
【０００２】
ファクシミリ等の通信端末装置において、従来より、ＩＴＵ−Ｔ（International Telecommunications Union - Telecommunication standardization sector；国際電気通信連合の電気通信標準化部門）勧告のＶ．３２（最大通信速度：９６００ｂｐｓ）通信モードに準拠した、いわゆるＧ３（Group 3）機が実用化されている。また、近年では、最大通信速度を向上させたＶ．３４（最大通信速度：３３．６ｋｂｐｓ）通信モードに準拠し、かつＶ．３２通信モードにも対応した、いわゆるＳＧ３（Super G3）機が提案されている。
【０００３】
このようなＳＧ３機は、着呼時に２１００Ｈｚの位相反転信号であるＡＮＳａｍ信号を送出するが、送信側装置がＧ３機、またはＳＧ３機であってもＶ．３４通信モードの通信機能がＯＦＦとなっている場合には、ＡＮＳａｍ信号を検出できず、ＡＮＳａｍ信号には応答しない。このとき、受信側装置であるＳＧ３機は、ＡＮＳａｍ信号の送出を停止してＧ３機の手順信号であるＤＩＳ（Digital Identification Signal；ディジタル識別信号）を送出する。送信側装置は、このＤＩＳに対して応答することによって両者間の通信が継続して実行される。
【０００４】
ＩＰ網を介してこのような通信を実行する場合、Ｖ．３４通信モードでは全二重通信方式のために、ゲートウェイ装置等の中継機器がＶ．３４通信モードで使用されるＡＮＳａｍ信号を検出したときに、エコーキャンセラ機能をＯＦＦ（無効状態）にしてしまう場合がある。エコーキャンセラ機能がＯＦＦのままでＶ．１７（最大通信速度：１４．４ｋｂｐｓ）通信モード以下の交信が行われると、受信側装置の高低速識別のところで、自機が送出したＦＳＫ（Frequency Shift Keying；周波数変調）信号の終結フラグを、送信側装置から送られてきたＦＳＫ信号と誤認識してしまう。この誤認識により受信側装置は、低速待受けになり、本来の高速の画信号が来ても受信せず、ＦＳＫ信号待受けのタイムアウトが発生して交信エラーとなる問題がある。このように、ＦＳＫ信号から高速の画信号へと切り替わるときに交信エラーが発生し易い。
【０００５】
いったんＯＦＦにされたエコーキャンセラ機能は、２５０ｍｓ±１５０ｍｓの無音状態を創出することによりＯＮの状態（有効状態）に復旧させることが可能である。そこで、、発呼時に受信側装置からのＡＮＳａｍ信号を検出した後でＤＩＳを検出したときに、該ＤＩＳに応答せず、次のＤＩＳを検出し、所定の応答信号、具体的にはＤＣＳ（Digital Command Signal；デジタル命令信号）を送出するＩＴＵ−Ｔ勧告Ｖ．３４通信モードの通信機能を有する通信端末装置が提案されている（特許文献１）。
【０００６】
【特許文献１】特開２００３−２５９０９９号公報
【発明の開示】
【発明が解決しようとする課題】
【０００７】
上記特許文献１に記載の発明では、送信側装置が、受信側装置からのＡＮＳａｍ信号を検出した後で検出されたＤＩＳに応答せず、次のＤＩＳに対してＤＣＳを送出する。これにより、通信回線上において無音時間を生成してエコーキャンセラ機能をＯＮの状態に復旧させている。
【０００８】
しかしながら、稀に、送信側装置が、受信側装置からのＡＮＳａｍ信号に対して、それに対する所定の応答信号であるＣＭ（Common Mode；同相）信号を遅れて送出する場合がある。その場合、受信側装置で所定時間待機したとしても、ＩＰ網上には遅れてきたＣＭ信号が存在することになり、エコーキャンセラ機能を有効状態にするのに十分な無音状態が形成されない。したがって、エコーキャンセラ機能がＯＦＦとなっている場合には、そのまま通信が実行され、交信エラーが発生してしまうという問題がある。
【０００９】
そこで、本発明の課題は、ＡＮＳａｍ信号に対する応答信号が遅れて送出された場合であっても、交信エラーを生じさせることなく通信を実行することが可能な技術を提供することにある。
【課題を解決するための手段】
【００１０】
上記課題を解決すべく、第１の発明は、ＩＴＵ−Ｔ勧告Ｖ．３４通信モードの通信機能を履行不可である送信側装置と、ＩＴＵ−Ｔ勧告Ｖ．３４通信モードの通信機能を履行可能である受信側装置との間で通信を行う通信システムであって、前記受信側装置は、信号を送受信する通信部と、前記通信部を制御する制御部とを備え、前記制御部は、前記送信側装置が前記受信側装置との間の通信を要求することを示す発呼信号を前記通信部が受信したときにおいて、前記通信部から前記送信側装置に対してＡＮＳａｍ信号を送出させると共に、前記ＡＮＳａｍ信号の送出が終了してからの無音状態が前記送信側装置との間の通信回線において所定時間継続した後に、前記通信部から前記送信側装置に対してＤＩＳを送出させる、通信システムである。
【００１１】
第２の発明は、第１の発明であって、前記所定時間は４００ｍｓ以上である。
【００１２】
第３の発明は、第２の発明であって、前記所定時間は５００ｍｓ以下である。
【００１３】
第４の発明は、ＩＴＵ−Ｔ勧告Ｖ．３４通信モードの通信機能を履行不可である送信側装置と、ＩＴＵ−Ｔ勧告Ｖ．３４通信モードの通信機能を履行可能である受信側装置との間で行う通信方法であって、前記受信側装置が前記送信側装置からの通信を要求することを示す発呼信号を受信する第１の工程と、前記第１の工程の後に前記受信側装置がＡＮＳａｍ信号を送出する第２の工程と、前記受信側装置が前記第２の工程の後に無音状態の継続時間を計測する第３の工程と、前記受信側装置が前記第３の工程で計測した時間が所定時間を超えたときにＤＩＳを送出する第４の工程とを備える、通信方法である。
【００１４】
第５の発明は、第４の発明であって、前記第４の工程の前記所定時間は４００ｍｓ以上である。
【００１５】
第６の発明は、第５の発明であって、前記第４の工程の前記所定時間は５００ｍｓ以下である。
【００１６】
第７の発明は、ＩＴＵ−Ｔ勧告Ｖ．３４通信モードの通信機能を履行可能である通信端末装置であって、信号を送受信する通信部と、前記通信部を制御する制御部とを備え、前記制御部は、発呼信号を前記通信部が受信したときにおいて、前記通信部からＡＮＳａｍ信号を送出させると共に、前記ＡＮＳａｍ信号の送出が終了してからの無音状態が通信回線において所定時間継続した後に、前記通信部からＤＩＳを送出させる、通信端末装置である。
【００１７】
第８の発明は、第７の発明であって、前記所定時間は４００ｍｓ以上である。
【００１８】
第９の発明は、第８の発明であって、前記所定時間は５００ｍｓ以下である。
【発明の効果】
【００１９】
第１の発明によれば、無音状態が送信側装置との間の通信回線において所定時間継続したときに、ＤＩＳを送出するので、エコーキャンセラ機能を確実に有効状態に戻すことが可能となる。したがって、交信エラーを生じさせることなく通信を実行することが可能となる。
【００２０】
第２の発明によれば、無音状態が４００ｍｓ以上継続してからＤＩＳを送出するので、エコーキャンセラ機能を確実に有効状態に戻すことが可能となる。
【００２１】
第３の発明によれば、５００ｍｓより長い間、ＤＩＳの送出を遅らせることがないので、必要以上に通信を停止させることがなく、速やかに通信を実行することが可能となる。
【００２２】
第４の発明によれば、無音状態が送信側装置と受信側装置との間の通信回線において所定時間継続したときに、ＤＩＳを送出するので、エコーキャンセラ機能を確実に有効状態に戻すことが可能となる。したがって、交信エラーを生じさせることなく通信を実行することが可能となる。
【００２３】
第５の発明によれば、無音状態が４００ｍｓ以上継続してからＤＩＳを送出するので、エコーキャンセラ機能を確実に有効状態に戻すことが可能となる。
【００２４】
第６の発明によれば、５００ｍｓより長い間、ＤＩＳの送出を遅らせることがないので、必要以上に通信を停止させることがなく、速やかに通信を実行することが可能となる。
【００２５】
第７の発明によれば、無音状態が通信回線において所定時間継続したときに、ＤＩＳを送出するので、エコーキャンセラ機能を確実に有効状態に戻すことが可能となる。したがって、交信エラーを生じさせることなく通信を実行することが可能となる。
【００２６】
第８の発明によれば、無音状態が４００ｍｓ以上継続してからＤＩＳを送出するので、エコーキャンセラ機能を確実に有効状態に戻すことが可能となる。
【００２７】
第９の発明によれば、５００ｍｓより長い間、ＤＩＳの送出を遅らせることがないので、必要以上に通信を停止させることなく、速やかに通信を実行することが可能となる。
【発明を実施するための最良の形態】
【００２８】
以下、本発明の実施形態に係る通信システム、通信方法及び通信端末装置の一例としてファクシミリ装置による通信システム及び通信方法について、図面に基づいて説明する。
【００２９】
＜装置の構成＞
図１は、本発明の実施形態に係る通信システム１００の構成例を示すブロック図である。
【００３０】
ファクシミリ装置１０は、本発明に含まれる通信システム及び通信方法における受信側装置に相当し、操作部１１と、表示部１２と、読取部１３と、描画部１４と、制御部１５と、通信部１６とを備えており、これらがバス１７を介して互いに接続されている。また、ファクシミリ装置１０は、ＩＰ（Internet Protocol）網３０、中継機器４０，５０を介して遠隔地にある他のファクシミリ装置２０との間で画像データを送受信するファクシミリ機能を有している。なお、ファクシミリ装置２０は、本発明に含まれる通信システム及び通信方法における受信側装置に相当する。
【００３１】
操作部１１は、メカニカルスイッチで構成され、発信やデータ入力、各種コマンドの実行命令等のユーザからの操作を受け付ける。表示部１２は、ＬＣＤ（Liquid Crystal Display；液晶ディスプレイ）等の表示デバイスによって構成され、各種情報を表示する。なお、表示部１２にタッチパネルディスプレイを適用して、操作部１１の一部または全ての機能を兼ね備えるようにしても良い。読取部１３は、送信原稿をＣＣＤ（Charge Coupled Device；電荷結合素子）等により光学的に読み取って画像データを生成する。描画部１４は、画像データを記憶する画像メモリ（図示省略）を有し、記録紙カセット（図示省略）内に載置された記録紙上に画像メモリに記憶された画像データを記録する。
【００３２】
制御部１５は、ＭＰＵ１５１と、ＲＯＭ１５２と、ＲＡＭ１５３とを備えている。ＭＰＵ１５１は、操作部１１からの入力信号や、該入力信号に基づくデータ演算及び出力信号の生成や、表示部１２への表示内容の制御等を行ってファクシミリ装置１０の各機能を実現するものである。ＲＯＭ１５２は、ＭＰＵ１５１が実行するプログラムや制御に必要なデータが格納されたものであり、ＲＡＭ１５３は、ＭＰＵ１５１による統括制御に必要なデータを一時記憶するものである。これにより、ファクシミリ装置１０の各種機能が実現される。なお、制御部１５が各構成を制御する機能については後に詳述する。
【００３３】
通信部１６は、ＩＴＵ−Ｔ勧告Ｖ．３４通信モードの通信機能を有するＭＯＤＥＭ（MOdulator-DEModulator；変復調装置）１６１と、ＮＣＵ（Network Control Unit；ネットワーク制御回路）１６２と、ＣＯＤＥＣ（COder-DECoder；コーダ−デコーダ）１６３とを備えている。そして、ＭＰＵ１５１からの制御により、ＩＰ網３０に接続された中継機器である４０，５０を介して接続された他のファクシミリ装置２０との間でデータの送受信を行うものである。なお、ファクシミリ装置１０は、ＩＴＵ−Ｔ勧告Ｖ．３４通信モードの通信機能を備えるＳＧ３機であり、従来のＧ３方式等のファクシミリ通信機能も備えているものとする。また、ＩＰ網３０は中継機器４０，５０だけでなく他の中継機器も接続されており、ファクシミリ装置１０は、他のファクシミリ装置と通信可能となっているが図示は省略する。
【００３４】
また、本実施形態においてはファクシミリ装置２０はＩＴＵ−Ｔ勧告Ｖ．３４通信モードの通信機能を履行不可能なＧ３機であるとする。
【００３５】
＜制御部の詳細な機能＞
制御部１５は、ファクシミリ装置２０がファクシミリ装置１０との間の通信を要求することを示す発呼信号を通信部１６が受信したときにおいて、通信部１６からファクシミリ装置２０に対してＡＮＳａｍ信号を送出させると共に、ＡＮＳａｍ信号の送出が終了してからの無音状態がファクシミリ装置２０との間の通信回線において所定時間継続した後に、通信部１６からファクシミリ装置２０に対してＤＩＳを送出させる。
【００３６】
具体的には、ＩＰ網３０、中継機器４０，５０を介して、ファクシミリ装置２０からの発呼信号を受信したときにおいて、制御部１５は通信部１６からＡＮＳａｍ信号を送出するよう制御する。それと共に、制御部１５は、ＡＮＳａｍ信号の送出が終了してからの無音状態がファクシミリ装置２０との間の通信回線において所定時間継続した後に、通信部１６からファクシミリ装置２０に対してＤＩＳを送出させる。ここで、継続する無音状態の所定時間は４００ｍｓ以上であることが望ましい。さらに、継続する無音状態の所定時間は５００ｍｓ以下であることが望ましい。
【００３７】
図２は、制御部１５の動作を示すフローチャートである。まず、制御部１５は、ファクシミリ装置２０がファクシミリ装置１０との間の通信を要求することを示す発呼信号を通信部１６が受信するまで待機する（第１の工程、ステップＳ２０１）。発呼信号を受信すると、ステップＳ２０１においてＹｅｓを選択して、制御部１５は、通信部１６からファクシミリ装置２０に対してＡＮＳａｍ信号の送出を開始するよう制御する（第２の工程、ステップＳ２０２）。
【００３８】
制御部１５は、ステップＳ２０２においてＡＮＳａｍ信号の送出を開始すると共に、ファクシミリ装置２０からの有効な信号、具体的にはＣＭ信号を検出したか否かを判断しながら（ステップＳ２０３）、ＡＮＳａｍ信号を送出する所定時間が経過したか否かを判断する（ステップＳ２０４）。
【００３９】
ここで、仮に送信側装置であるファクシミリ装置２０が、Ｖ．３４通信モードの通信機能を履行可能である場合には、ファクシミリ装置１０からのＡＮＳａｍ信号に対してＣＭ信号を送出する。したがって、ステップＳ２０３において、ＣＭ信号を検出し、制御部１５は、ＳＧ３の交信手順を継続して通信を実行する（ステップＳ２０５）。
【００４０】
一方、ファクシミリ装置２０が、Ｖ．３４通信モードの通信機能を履行不可である場合には、ＡＮＳａｍ信号を検出できない。したがって、ステップＳ２０３において、ＣＭ信号が検出されない。その後、ＡＮＳａｍ信号を送出する所定時間が経過した場合には、制御部１５は、ＡＮＳａｍ信号の送出を停止する（ステップＳ２０６）。
【００４１】
次に、制御部１５は、ファクシミリ装置１０−ファクシミリ装置２０間の通信回線において、信号エネルギ、具体的にはＣＭ信号があるか否かを検出し、もしＣＭ信号があれば、ステップＳ２０７においてＹｅｓを選択してステップＳ２０５の処理を実行する。これは、ファクシミリ装置２０が、Ｖ．３４通信モードの通信機能を履行可能であって、かつＡＮＳａｍ信号に対するＣＭ信号の応答が遅れてしまった場合の処理である。
【００４２】
次に、制御部１５は、ＡＮＳａｍ信号の送出が終了してからの無音状態が２５０ｍｓ±１５０ｍｓ、具体例を挙げれば５００ｍｓ継続したか否かを判断する（第３の工程、ステップＳ２０８）。そして、無音状態が５００ｍｓ継続するとステップＳ２０８においてＹｅｓを選択して、制御部１５は、通信部１６からファクシミリ装置２０に対してＤＩＳを送出させる（第４の工程、ステップＳ２０９）。その後、制御部１５は、Ｇ３の交信手順を継続して通信を実行して（ステップＳ２１０）、処理を終了する。
【００４３】
＜通信システム１００＞
次に、上述のファクシミリ装置１０とファクシミリ装置２０とを適用した通信システム１００について説明する。
【００４４】
図３は、本発明の通信システム１００における処理動作を示すフローチャートである。このフローチャートでは、ファクシミリ装置１０の処理動作を示すフローチャート（ステップＳ３１１〜Ｓ３１９）と、ファクシミリ装置２０の処理動作を示すフローチャート（ステップＳ３２１〜Ｓ３２３）とが対応付けて示している。
【００４５】
なお、図３には、特にエコーキャンセラ機能をＯＮ状態に戻すための処理動作のみを示し、その他の処理動作については図示及び説明を省略している。また、特に記載のない場合は、ファクシミリ装置１０における一連の処理動作（ステップＳ３１１〜Ｓ３１９）は制御部１５の制御下で、ファクシミリ装置２０における一連の処理動作（ステップＳ３２１〜Ｓ３２３）はファクシミリ装置２０の制御部（図示省略）で、各々自動的に行われる。
【００４６】
ファクシミリ装置２０のユーザが、ファクシミリ装置１０のファックス番号を入力すると、ファクシミリ装置２０はファクシミリ装置１０との間の通信を要求することを示す発呼信号を送信する（ステップＳ３２１）。そして、これを受けてファクシミリ装置１０が受信する（第１の工程、ステップＳ３１１）。
【００４７】
ステップＳ３１１においてファクシミリ装置２０からの発呼信号を受信すると、ファクシミリ装置１０の制御部１５は、ファクシミリ装置２０に対してＡＮＳａｍ信号の送出を開始する（第２の工程、ステップＳ３１２）。
【００４８】
制御部１５は、ステップＳ３１２においてＡＮＳａｍ信号の送出を開始すると共に、ファクシミリ装置２０からのＣＭ信号が検出されたか否かを判断しながら（ステップＳ３１３）、ＡＮＳａｍ信号を送出する所定時間が経過したか否かを判断する（ステップＳ３１４）。本実施形態において、ファクシミリ装置２０はＧ３機であるので、ファクシミリ装置２０はＡＮＳａｍ信号を検出することができない。したがってファクシミリ装置２０はＣＭ信号を送出せず、ファクシミリ装置１０がＣＭ信号を検出することはない。そのため、ステップＳ３１３はＮｏが選択される。
【００４９】
ステップＳ３１４において、Ｙｅｓが選択される（すなわち、ＡＮＳａｍ信号を送出する所定時間が経過した）場合には、制御部１５は、ＡＮＳａｍ信号の送出を停止する（ステップＳ３１５）。
【００５０】
そして、制御部１５は、ファクシミリ装置１０，２０間の通信回線上において、ＣＭ信号があるか否かを検出する（ステップＳ３１６）。ここでも、ファクシミリ装置２０は、ＣＭ信号を送出しないので、ステップＳ３１６はＮｏが選択される。
【００５１】
次に、制御部１５は、ＡＮＳａｍ信号の送出が終了してからの無音状態が２５０ｍｓ±１５０ｍｓ、具体例を挙げれば５００ｍｓ継続したか否かを判断する（第３の工程、ステップＳ３１７）。そして、無音状態が５００ｍｓ継続するとステップＳ３１７においてＹｅｓを選択して、制御部１５は、通信部１６からファクシミリ装置２０に対してＤＩＳを送出させる（第４の工程、ステップＳ３１８）。
【００５２】
ステップＳ３１８において送出されたＤＩＳをファクシミリ装置２０が受信する（ステップＳ３２２）と、ファクシミリ装置１０，２０は互いにＧ３の交信手順を継続して通信を実行し（ステップＳ３１９，Ｓ３２３）、通信を終了する。
【００５３】
以上のように、無音状態がファクシミリ装置２０との間の通信回線において所定時間継続したときに、ＤＩＳを送出するので、ＡＮＳａｍ信号が送出された後、該通信回線を所定時間、確実に無音状態にできる。したがって、例えば、ネットワーク上にエコーキャンセラ機能を無効状態にさせる機能を有する中継機器４０，５０が存在した場合であっても、ＡＮＳａｍ信号によって無効状態にされたエコーキャンセラ機能を確実に有効状態に戻すことができる。特に、送信側装置であるファクシミリ装置２０からＡＮＳａｍ信号に遅れてＣＭ信号が送出された場合であっても、エコーキャンセラ機能を確実に有効状態に戻すことが可能となる。したがって、交信エラーを生じさせることなく通信を実行することが可能となる。
【００５４】
ここで、無音状態が４００ｍｓ以上継続してからＤＩＳを送出するので、エコーキャンセラ機能を確実に有効状態に戻すことが可能となる。
【００５５】
さらに、５００ｍｓより長い間、ＤＩＳの送出を遅らせることがないので、必要以上に通信を停止させることがなく、速やかに通信を実行することが可能となる。
【００５６】
また、無音状態がファクシミリ装置２０とファクシミリ装置１０との間の通信回線において所定時間継続したときに、ＤＩＳを送出を送出するので、エコーキャンセラ機能を確実に有効状態に戻すことが可能となる。したがって、交信エラーを生じさせることなく通信を実行することが可能となる。
【００５７】
ここで、無音状態が４００ｍｓ以上継続してからＤＩＳを送出するので、エコーキャンセラ機能を確実に有効状態に戻すことが可能となる。
【００５８】
さらに、５００ｍｓより長い間、ＤＩＳの送出を遅らせることがないので、必要以上に通信を停止させることがなく、速やかに通信を実行することが可能となる。
【００５９】
また、無音状態が通信回線において所定時間継続したときに、ＤＩＳを送出するので、エコーキャンセラ機能を確実に有効状態に戻すことが可能となる。したがって、交信エラーを生じさせることなく通信を実行することが可能となる。
【００６０】
ここで、無音状態が４００ｍｓ以上継続してからＤＩＳを送出するので、エコーキャンセラ機能を確実に有効状態に戻すことが可能となる。
【００６１】
さらに、５００ｍｓより長い間、ＤＩＳの送出を遅らせることがないので、必要以上に通信を停止させることなく、速やかに通信を実行することが可能となる。
【００６２】
＜変形例＞
以上、本発明の実施形態について説明したが、本発明は上記説明した内容のものに限定されるものではない。
【００６３】
例えば、上記実施形態に於いては、ファクシミリ装置２０は、ＩＴＵ−Ｔ勧告Ｖ．３４通信モードの通信機能を履行不可能なＧ３機であるとしたが、Ｇ３機としての機能とＳＧ３機としての機能を備え、何れかの機能に選択可能なファクシミリ装置であっても良い。その場合には、ＳＧ３機としての機能が選択されていれば、ＳＧ３の交信手順で通信を実行し、Ｇ３機としての機能が選択されていれば、上述の方法によってＧ３の交信手順で通信を実行する。
【００６４】
また、上記実施形態の通信端末装置であるファクシミリ装置１０は、画像データの送受信が可能なものであったが、画像データの受信のみが可能な通信端末装置であっても良いし、通信端末装置が、ファクシミリ機能の他に、スキャン機能、プリント機能等の複数の機能を有する複合機（ＭＦＰ；Multi Function Peripheral）として構成されていても良い。
【００６５】
尚、本発明に係るファクシミリ装置１０は、上述の処理を行うことが可能な回路構成であっても良い。また、上述の各工程に限定されるものでもない。
【図面の簡単な説明】
【００６６】
【図１】本発明の実施形態に係る通信システムの構成例を示すブロック図である。
【図２】制御部の動作を示すフローチャートである。
【図３】本発明の通信システムにおける処理動作を示すフローチャートである。
【符号の説明】
【００６７】
１００  通信システム
１０  ファクシミリ装置（受信側装置）
１５  制御部
１６  通信部
２０  ファクシミリ装置（送信側装置）
３０  ＩＰ網
【図１】
2008099169.tif 000003
【図２】
2008099169.tif 000004
【図３】
2008099169.tif 000005
【手続補正書】
【提出日】平成19年7月25日(2007.7.25)
【手続補正１】
【補正対象書類名】明細書
【補正対象項目名】０００２
【補正方法】変更
【補正の内容】
【０００２】
ファクシミリ等の通信端末装置において、従来より、ＩＴＵ−Ｔ（International Telecommunications Union - Telecommunication standardization sector；国際電気通信連合の電気通信標準化部門）勧告のＶ．２９（最大通信速度：９６００ｂｐｓ）通信モードに準拠した、いわゆるＧ３（Group 3）機が実用化されている。また、近年では、最大通信速度を向上させたＶ．３４（最大通信速度：３３．６ｋｂｐｓ）通信モードに準拠し、かつＶ．２９通信モードにも対応した、いわゆるＳＧ３（Super G3）機が提案されている。
【手続補正２】
【補正対象書類名】明細書
【補正対象項目名】０００８
【補正方法】変更
【補正の内容】
【０００８】
しかしながら、稀に、送信側装置が、受信側装置からのＡＮＳａｍ信号に対して、それに対する所定の応答信号であるＣＭ（Call Menu）信号を遅れて送出する場合がある。その場合、受信側装置で所定時間待機したとしても、ＩＰ網上には遅れてきたＣＭ信号が存在することになり、エコーキャンセラ機能を有効状態にするのに十分な無音状態が形成されない。したがって、エコーキャンセラ機能がＯＦＦとなっている場合には、そのまま通信が実行され、交信エラーが発生してしまうという問題がある。
【手続補正書】
【提出日】平成19年9月10日(2007.9.10)
【手続補正１】
【補正対象書類名】図面
【補正対象項目名】図３
【補正方法】変更
【補正の内容】
【図３】
2008099169.tif 000006